(57)【要約】【課題】コンパクトで押し切り位置での安定性があり、細かな注出量の切り替えが可能な定量注出器を提供する。【解決手段】定量注出器１は、注出される内容物を一時的に収容するシリンダ１０と、シリンダ１０に上方付勢状態で下方移動可能に配設された有頂筒状の押下ヘッド４０と、シリンダ１０内に配設され、押下ヘッド４０に連係して該シリンダ１０内を上下移動するピストン５０と、押下ヘッド４０の外側に操作可能に配設された操作部７０と、押下ヘッド４０の内側においてピストン５０を支持するとともに、操作部７０の操作量に応じて上下方向に伸縮し、ピストン５０の上死点の位置を変更するピストン支持部６０と、を備える。【選択図】図１
2020055538.tif 000002
【特許請求の範囲】
【請求項１】
注出される内容物を一時的に収容するシリンダと、
前記シリンダに連設されるとともに前記内容物が収容される容器の口部に配設されて、前記シリンダの内圧の増減に応じて該シリンダとの連通および遮断が切り替えられる吸い上げ筒と、
前記シリンダに直結されて側方に向けて延び、前記シリンダの内圧の増減に応じて該シリンダとの連通および遮蔽が切り替えられる注出筒と、
前記シリンダに上方付勢状態で下方移動可能に配設された有頂筒状の押下ヘッドと、
前記シリンダ内に配設され、前記押下ヘッドに連係して該シリンダ内を上下移動するピストンと、
前記押下ヘッドの外側に操作可能に配設された操作部と、
前記押下ヘッドの内側において前記ピストンを支持するとともに、前記操作部の操作量に応じて上下方向に伸縮し、前記ピストンの上死点の位置を変更するピストン支持部と、を備える、ことを特徴とする定量注出器。
【請求項２】
前記ピストン支持部は、上下方向に延びる軸線回りの相対回転により上下方向に伸縮可能に螺合した第１ネジ部及び第２ネジ部を有する、ことを特徴とする請求項１に記載の定量注出器。
【請求項３】
前記操作部は、前記押下ヘッドの外側に回転可能に配設され、前記第１ネジ部及び前記第２ネジ部を前記軸線回りに相対回転させるダイヤル部を有する、ことを特徴とする請求項２に記載の定量注出器。
【請求項４】
前記押下ヘッドは、前記ダイヤル部の回転を規制するロック部を有し、
前記ダイヤル部は、前記ロック部に係止するロック位置と、前記ロック部に係止しないロック解除位置との間で移動可能に設けられている、ことを特徴とする請求項３に記載の定量注出器。
【発明の詳細な説明】
【技術分野】
【０００１】
本発明は、定量注出器に関する。
【背景技術】
【０００２】
従来から、下記特許文献１記載の定量注出器が知られている。この定量注出器は、注出される内容物を一時的に収容するシリンダと、該シリンダに連設されるとともに前記内容物が収容される容器の口部に配設されて、前記シリンダの内圧の増減に応じて該シリンダとの連通および遮断が切り替えられる吸い上げ筒と、前記シリンダに直結されて側方に向けて延び、前記シリンダの内圧の増減に応じて該シリンダとの連通および遮蔽が切り替えられる注出筒と、前記シリンダに上方付勢状態で下方移動自在に配設された有頂筒状の押下ヘッドと、前記シリンダ内に配設され、前記押下ヘッドに連係して該シリンダ内を上下移動するピストンと、前記押下ヘッドの下方移動量を規制するストッパ部材と、を備え、前記ストッパ部材は、ダイヤル軸回りに回転自在に配設されたダイヤル部と、当該ダイヤル部の前記ダイヤル軸回りの回転移動に伴い、前記押下ヘッドの周壁部に形成された開口を通して、前記押下ヘッドの内部において前記シリンダよりも上方に位置する拡縮空間に対して進退移動する規制部と、を備え、前記規制部は、前記シリンダ若しくは前記シリンダの上端部に装着された部材に、上方から対向して当接可能に構成されている。
前記定量注出器では、ダイヤル部の回転操作により規制部を拡縮空間内に進入させた状態で、押下ヘッドを下方へ移動させることで、規制部がシリンダ若しくはシリンダの上端部に装着された部材に当接し、それ以上の押下ヘッドの下方移動が制限される。すなわち、ダイヤル部の回転操作により規制部を拡縮空間内に進入させることで、規制部が拡縮空間に位置しない場合に比べて押下ヘッドの下方移動量（ストローク量）を制限できる。これにより、制限されたストローク量に応じた量の内容物を注出できる。
【先行技術文献】
【特許文献】
【０００３】
【特許文献１】特開２０１３−９５４４３号公報
【発明の概要】
【発明が解決しようとする課題】
【０００４】
ところで、前記従来の定量注出器では、細かな注出量の切り替えを行う場合、規制部の数を増やす必要がある。規制部の数は、ダイヤル部の大きさに制約されるため、規制部の数を増やす場合、ダイヤル部を大きくしなければならない。
また、押下ヘッドを押下した際、下死点において周方向の一部に設けた規制部がシリンダと当接するため、押し切り位置での押下ヘッドの安定性の低下が懸念される。
【０００５】
本発明は、このような事情に鑑みてなされたものであって、その目的は、コンパクトで押し切り位置での安定性があり、細かな注出量の切り替えが可能な定量注出器を提供することである。
【課題を解決するための手段】
【０００６】
（１）本発明に係る定量注出器は、注出される内容物を一時的に収容するシリンダと、前記シリンダに連設されるとともに前記内容物が収容される容器の口部に配設されて、前記シリンダの内圧の増減に応じて該シリンダとの連通および遮断が切り替えられる吸い上げ筒と、前記シリンダに直結されて側方に向けて延び、前記シリンダの内圧の増減に応じて該シリンダとの連通および遮蔽が切り替えられる注出筒と、前記シリンダに上方付勢状態で下方移動可能に配設された有頂筒状の押下ヘッドと、前記シリンダ内に配設され、前記押下ヘッドに連係して該シリンダ内を上下移動するピストンと、前記押下ヘッドの外側に操作可能に配設された操作部と、前記押下ヘッドの内側において前記ピストンを支持するとともに、前記操作部の操作量に応じて上下方向に伸縮し、前記ピストンの上死点の位置を変更するピストン支持部と、を備える、ことを特徴とする。
【０００７】
本発明に係る定量注出器によれば、押下ヘッドの外側に配設された操作部の操作により、ピストン支持部を上下方向に伸縮させる。ピストン支持部は、押下ヘッドの内側においてピストンを支持しており、操作部の操作量に応じて上下方向の長さが変わるため、シリンダ内におけるピストンの上死点の位置を任意に変更できる。これにより、シリンダ内におけるピストンの下方移動量（ストローク量）を細かく変更でき、当該ストローク量に応じた量の内容物を注出できる。また、ピストンの上死点の位置を変更しているため、ピストンの下死点の位置は変わらず、押下ヘッドの押し切り位置での安定性が確保される。さらに、ピストンのストローク量の変更に関して、操作部の構造的な部品の追加などは不要であるため、操作部の大きさをコンパクトにできる。
【０００８】
（２）前記ピストン支持部は、上下方向に延びる軸線回りの相対回転により上下方向に伸縮可能に螺合した第１ネジ部及び第２ネジ部を有していても良い。
【０００９】
この場合には、第１ネジ部及び第２ネジ部の軸線回りの相対回転により、ピストン支持部の上下方向の長さが無段階で変更できる。このため、定量注出器において、より細かな注出量の切り替えが可能になる。
【００１０】
（３）前記操作部は、前記押下ヘッドの外側に回転可能に配設され、前記第１ネジ部及び前記第２ネジ部を前記軸線回りに相対回転させるダイヤル部を有していても良い。
【００１１】
この場合には、押下ヘッドの外側に配設されたダイヤル部の回転操作により、第１ネジ部及び第２ネジ部を軸線回りに相対回転させることができるため、注出量の切り替え操作が容易、且つ、ピストンの下方移動量（ストローク量）の変更が直感的に分かりやすくなる。
【００１２】
（４）前記押下ヘッドは、前記ダイヤル部の回転を規制するロック部を有し、前記ダイヤル部は、前記ロック部に係止するロック位置と、前記ロック部に係止しないロック解除位置との間で移動可能に設けられていても良い。
【００１３】
この場合には、ダイヤル部をロック解除位置に移動させることにより、注出量の切り替えが可能になり、また、ダイヤル部をロック位置に移動させることにより、注出量を切り替えた状態での維持が可能となり、注出量が予期せずに変更されることを防止することができる。
【発明の効果】
【００１４】
本発明に係る定量注出器によれば、コンパクトで押し切り位置での安定性があり、細かな注出量の切り替えが可能となる。
【図面の簡単な説明】
【００１５】
【図１】本発明の第１実施形態に係る定量注出器の縦断面図である。
【図２】図１に示す定量注出器においてピストンの上死点の位置を下方に変更した状態を示す縦断面図である。
【図３】図１に示す定量注出器の注出量の切り替え方法を説明するための図である。
【図４】本発明の第２実施形態に係る定量注出器の縦断面図である。
【図５】図４に示す定量注出器においてピストンの上死点の位置を下方に変更した状態を示す縦断面図である。
【発明を実施するための形態】
【００１６】
以下、図面を参照し、本発明の一実施形態に係る定量吐出器を説明する。
【００１７】
（第１実施形態）
図１に示すように、本実施形態の定量注出器１は、内容物を収容した容器２の口部２ａに装着されるものである。この定量注出器１は、シリンダ１０と、吸い上げ筒２０と、注出筒３０と、押下ヘッド４０と、ピストン５０と、ピストン支持部６０と、操作部７０と、を備えている。なお、容器２内に収容される内容物としては、例えば水や酒類などの液体飲料のように比較的粘度の低い液体が挙げられるが、低粘度の液体に限られない。
【００１８】
シリンダ１０は有底筒状とされ、吸い上げ筒２０は筒状とされ、押下ヘッド４０は有頂筒状とされるとともに、それぞれの中心軸は共通軸上に位置している。以下、この共通軸を軸線Ｏと称し、軸線Ｏ方向に沿って押下ヘッド４０側（図１における上側）を上方とし、その反対側（吸い上げ筒２０側（図１における下側））を下方とする。また、軸線Ｏ方向を上下方向、軸線Ｏ方向から視て軸線Ｏに交差する方向を径方向、軸線Ｏ回りの方向を周方向とする。
【００１９】
容器２は、内容物を収容する容器であり、例えばガラス瓶やペットボトルや合成樹脂製ボトル等である。この容器２の口部２ａは、軸線Ｏを中心軸とし上下方向に延在する円筒形状を有し、口部２ａの外周面には、雄ネジが形成されている。
【００２０】
シリンダ１０は、容器２の口部２ａの上方に配設され、注出される内容物を一時的に収容するものである。シリンダ１０は、有底円筒状をなしており、内容物を収容（計量）するシリンダ本体部１１を備えている。シリンダ本体部１１の下面における径方向中央部には、吸い上げ筒２０に連通する吸い上げ連通口１１ａが形成され、吸い上げ連通口１１ａから径方向外側に離間した位置には、注出筒３０に連通する注出連通口１１ｂが形成されている。
【００２１】
吸い上げ筒２０は、シリンダ１０に連設されるとともに容器２の口部２ａに配設されて、シリンダ１０の内圧の増減に応じて該シリンダ１０との連通および遮断が切り替えられる。吸い上げ筒２０は、容器２の口部２ａの外側に装着される装着キャップ２１と、口部２ａの内側に装着される中栓２２と、装着キャップ２１が嵌着する嵌着筒部２３と、シリンダ本体部１１の内側に連通した接続筒部２４と、接続筒部２４に接続されたチューブ２５と、吸い上げ連通口１１ａを開閉する吸い上げ弁２６と、を備えている。
【００２２】
装着キャップ２１は、円筒形状を有し、軸線Ｏを中心軸にして上下方向に延設されている。この装着キャップ２１の内周面には、口部２ａの雄ネジに螺合される雌ネジが形成されている。これにより、装着キャップ２１は、口部２ａの外周面に螺着している。
【００２３】
中栓２２は、円筒形状を有し、軸線Ｏを中心軸にして口部２ａと同軸上に配設されている。中栓２２の外周面には、径方向外側に向けて突出したフランジ部２２ａが形成されている。このフランジ部２２ａは、周方向の全周に亘って形成された円環状の板部である。フランジ部２２ａは、中栓２２を支持する支持部であり、口部２ａの上端開口縁に載置されている。
【００２４】
嵌着筒部２３は、シリンダ本体部１１の底部に連設された筒状部であり、軸線Ｏを中心軸にして上下方向に沿って延設されている。この嵌着筒部２３の下端部は、装着キャップ２１の上端部の内側に挿入されて、装着キャップ２１の上端部にアンダーカット嵌合されている。嵌着筒部２３の下端面は、中栓２２のフランジ部２２ａ上に載置されており、このフランジ部２２ａを介してシリンダ本体部１１は口部２ａの上端開口縁に支持されている。
【００２５】
接続筒部２４は、嵌着筒部２３の径方向内側に配設された筒状部であり、軸線Ｏを中心軸にして上下方向に沿って延設されている。接続筒部２４の上端部は、シリンダ本体部１１の底部に連設され、その上端開口は吸い上げ連通口１１ａに連通している。接続筒部２４の外周面には、中栓２２が外嵌している。
【００２６】
チューブ２５は、容器２の内側に挿入されて、容器２内の内容物を吸い上げるためのチューブであり、例えば可撓性を有するフレキシブルチューブからなる。なお、チューブ２５は、単なる円筒状のパイプであってもよい。チューブ２５の下端は、容器２内に開放されており、チューブ２５の上端部は、接続筒部２４の内側に嵌合されて、シリンダ本体部１１の内部に連通している。
【００２７】
吸い上げ弁２６は、シリンダ本体部１１から接続筒部２４（容器２側）への内容物の流出を止める逆止弁であり、ピストン５０の引戻し動作（上方移動）に連動して開けられる。吸い上げ弁２６は、吸い上げ連通口１１ａの開口周縁部の窪みに嵌合された環状の嵌合部２６ａと、嵌合部２６ａの径方向内側に配設されて吸い上げ連通口１１ａを開閉する円板状の弁体部２６ｂと、弁体部２６ｂの外周面と嵌合部２６ａの内周面とを周方向に間欠的に連結する弾性変形可能な弾性連結部２６ｃと、を備えている。
【００２８】
注出筒３０は、シリンダ１０に直結されて側方に向けて延び、シリンダ１０の内圧の増減に応じて該シリンダ１０との連通および遮蔽が切り替えられるものである。注出筒３０は、シリンダ本体部１１の底部の下面から側方（軸線Ｏに交差する方向）に向かって突出すると共にシリンダ本体部１１の内側に連通した突出筒部３１と、突出筒部３１に接続されたノズル部３２と、突出筒部３１の内部に配設された注出弁３３と、を備えている。
【００２９】
ノズル部３２は、突出筒部３１の外周面にアンダーカット嵌合されている。ノズル部３２の先端部は、下向きに屈曲している。注出弁３３は、注出筒３０内からシリンダ本体部１１内への内容物及び空気の流入を止める逆止弁であり、ピストン５０の押込み動作（下方移動）に連動して開けられる。注出弁３３は、突出筒部３１の内周面に全周に亘って液密に密接するラッパ状に形成され、弾性的に縮径変形可能とされている。
【００３０】
ピストン５０は、シリンダ１０内に配設され、押下ヘッド４０に連係して該シリンダ１０内を上下移動するものである。ピストン５０は、シリンダ本体部１１内に上下摺動自在に嵌合されたシール筒部５１と、有底筒状に形成され、その上端縁がシール筒部５１の内周面における上下方向の中間部に連結された底板部５２と、有頂筒状に形成され底板部５２から上方に向けて延びる被装着筒部５３と、を備えている。
【００３１】
シール筒部５１、底板部５２、及び被装着筒部５３は、軸線Ｏと同軸に配設されて構成されている。このピストン５０は、シリンダ本体部１１を上方から気密に閉塞している。そして、シリンダ本体部１１とピストン５０とで囲まれた空間は、吸い上げ筒２０から吸い上げられた内容物を収容する貯留空間Ｃを構成している。
【００３２】
ここで、シリンダ本体部１１の上端部には、中間筒部１２が装着されている。中間筒部１２は、シリンダ本体部１１の上端部に外嵌される外筒１２ａと、シリンダ本体部１１の上端部に内挿される内筒１２ｂと、内筒１２ｂよりも小径のガイド筒１２ｃと、を備えている。また、外筒１２ａの上端部と内筒１２ｂの上端部とは、環状の天壁板１２ｄにより互いに連結されている。また、内筒１２ｂの下端部とガイド筒１２ｃの下端部とは、環状の底壁板１２ｅにより互いに連結されている。
【００３３】
押下ヘッド４０は、シリンダ１０の上部に上方付勢状態で下方移動可能に配設されている。押下ヘッド４０は、有頂筒状に形成されるとともにシリンダ本体部１１に外挿されている。押下ヘッド４０は、シリンダ１０に対して上下移動可能に構成され、操作者が押し下げ操作を行うためのものであり、中間筒部１２の外筒１２ａに外挿される押下外筒４１と、押下外筒４１の上端開口を閉塞する天壁部４２と、を備えている。
【００３４】
天壁部４２の下面には、弾性体の圧縮コイルバネ４３を受ける円筒状のバネ受け部４４が垂設されている。圧縮コイルバネ４３は、押下ヘッド４０の天壁部４２と、中間筒部１２の底壁板１２ｅと、の間に配設されている。圧縮コイルバネ４３は、中間筒部１２に対して押下ヘッド４０を上方へ向けて付勢している。
【００３５】
天壁部４２のバネ受け部４４よりも径方向内側には、ピストン支持部６０を支持する支持筒部４５が設けられている。支持筒部４５は、天壁部４２の上下面から上下方向に延びる筒体であり、支持筒部４５の内周面には支持リブ４５ａが形成されている。支持リブ４５ａは、上下方向に沿って延びると共に、周方向に間隔をあけて複数形成されている。支持リブ４５ａは、上端部よりも下端部が径方向内側に突出した階段状に形成されており、その段差面でピストン支持部６０の後述する第１ネジ部６１を支持すると共に、第１ネジ部６１の押下ヘッド４０に対する周方向への相対回転を規制する構成となっている。
【００３６】
天壁部４２のバネ受け部４４よりも径方向外側には、操作部７０が装着される装着筒部４６が設けられている。装着筒部４６は、天壁部４２の上面から上方に延びる筒体であり、装着筒部４６の外周面には、径方向外側に突出する突起部４６ａが形成されている。突起部４６ａは、装着筒部４６の外周面の周方向に間欠的または連続的に形成されている。この突起部４６ａは、装着筒部４６の外周面の上下方向に間隔をあけて２列形成されている。
【００３７】
ピストン支持部６０は、押下ヘッド４０の内側においてピストン５０を支持するとともに、後述する操作部７０の操作量に応じて上下方向に伸縮し、ピストン５０の上死点の位置を変更するものである。ピストン支持部６０は、軸線Ｏ回りの相対回転により上下方向に伸縮可能に螺合した第１ネジ部６１及び第２ネジ部６２を備えている。具体的に、第１ネジ部６１は、押下ヘッド４０に対して固定され、第２ネジ部６２が第１ネジ部６１に対して相対回転可能することにより、上下方向に伸縮可能とされている。
【００３８】
第１ネジ部６１は、押下ヘッド４０の支持筒部４５に嵌合された外筒部６１ａと、外筒部６１ａの下端から径方向外側に向けて突出した外筒フランジ部６１ｂと、を備えている。外筒部６１ａは、支持筒部４５の径方向内側に嵌合した筒状部であり、軸線Ｏを中心軸にして上下方向に沿って延設されている。外筒部６１ａの外周面には、支持筒部４５の支持リブ４５ａが係合する係合溝６１ａ１が形成されている。係合溝６１ａ１は、外筒部６１ａの外周面において上下方向に沿って延びると共に、周方向に間隔をあけて複数形成されている。
【００３９】
外筒部６１ａの内周面には、螺旋状のネジ溝６１ａ２が形成されている。本実施形態のネジ溝６１ａ２は、２条ネジであるが、１条ネジであっても、３条以上の多条ネジであってもよい。外筒フランジ部６１ｂは、中間筒部１２の底壁板１２ｅの下面に対し、下方から当接している。外筒部６１ａが挿入される中間筒部１２のガイド筒１２ｃの内周面には、上下方向に沿って延びるリブが形成されており、そのリブが係合溝６１ａ１に挿入されることで、外筒部６１ａとガイド筒１２ｃとの上下方向の相対移動を可能としつつ周方向への相対回転を規制する構成となっている。
【００４０】
第２ネジ部６２は、第１ネジ部６１の径方向内側に配設される内筒部６２ａと、内筒部６２ａの下端から径方向外側に向けて突出した内筒フランジ部６２ｂと、を備えている。内筒部６２ａは、第１ネジ部６１の外筒部６１ａの径方向内側に螺合した筒状部であり、軸線Ｏを中心軸にして上下方向に沿って延設されている。内筒部６２ａの外周面には、径方向外側に突出し、ネジ溝６１ａ２に螺合するネジ突起６２ａ１が形成されている。本実施形態のネジ突起６２ａ１は、２条ネジのネジ溝６１ａ２に対応して周方向に１８０°間隔で２つ形成されている。なお、ネジ突起６２ａ１の数及び形状は、ネジ溝６１ａ２の構成によって適宜変更し得る。
【００４１】
内筒フランジ部６２ｂは、外筒フランジ部６１ｂより下方に位置すると共に、外筒フランジ部６１ｂと上下方向で対向している。内筒フランジ部６２ｂの径方向中央部の下面には、ピストン５０の被装着筒部５３が嵌合する嵌合溝６２ｃが形成されている。嵌合溝６２ｃよりも径方向外側の内筒フランジ部６２ｂの下面は、ピストン５０の底板部５２内に配置されると共に、底板部５２の上面に当接した状態とされている。これにより、ピストン５０が第２ネジ部６２と共に、押下ヘッド４０の上下移動に連係するようになっている。
【００４２】
操作部７０は、押下ヘッド４０の外側に回転可能に配設され、第１ネジ部６１及び第２ネジ部６２を軸線Ｏ回りに相対回転させるダイヤル部７１を備えている。ダイヤル部７１は、押下ヘッド４０の装着筒部４６の外周面に対し、周方向に回転可能に外装された有頂筒状部であり、軸線Ｏを中心軸にして形成されている。ダイヤル部７１は、装着筒部４６の上下２列の突起部４６ａに対し、その係合位置を上下方向に変更可能に構成されている。なお、ダイヤル部７１の頂壁部の上面には、目盛や矢印などが付されていてもよい。
【００４３】
ダイヤル部７１の頂壁部の下面には、第２ネジ部６２に係合する係合筒部７２が垂設されている。係合筒部７２は、第１ネジ部６１と第２ネジ部６２の環状隙間に挿入されると共に、ネジ突起６２ａ１に対し周方向において係合する係合溝７２ａが形成されている。係合溝７２ａは、係合筒部７２の下端から上端に向かって上下方向に延びており、２つのネジ突起６２ａ１に対応して２つ形成されている。ネジ突起６２ａ１は、係合溝７２ａに対し周方向において係合するものの、係合溝７２ａに対し上下方向には相対移動可能である。
【００４４】
押下ヘッド４０は、ダイヤル部７１の回転を規制するロック片４７（ロック部）を備えている。ロック片４７は、支持筒部４５と装着筒部４６との間において、天壁部４２の上面から上方に突設されている。一方、ダイヤル部７１には、ロック片４７と周方向で係止する係止片７３が設けられている。係止片７３は、係合筒部７２よりも径方向外側においてダイヤル部７１の頂壁部の下面から垂設されている。
【００４５】
ダイヤル部７１は、係止片７３が周方向においてロック片４７に係止するロック位置（図１参照）と、係止片７３が周方向においてロック片４７に係止しないロック解除位置（図３参照）との間で移動可能に設けられている。図１に示すように、ダイヤル部７１がロック位置に位置するとき、ダイヤル部７１は、装着筒部４６の下側の突起部４６ａに係合している。このとき、係止片７３は、ロック片４７と略同一の高さに配置され、ロック片４７に対し周方向において係止する。
【００４６】
一方、図３に示すように、ダイヤル部７１がロック解除位置に位置するとき、ダイヤル部７１は、装着筒部４６の上側の突起部４６ａに係合している。このとき、係止片７３は、ロック片４７よりも上方に配置され、ロック片４７に対し周方向において係止することはない。これにより、ダイヤル部７１が押下ヘッド４０に対して回転可能となり、係合筒部７２を介して第２ネジ部６２を第１ネジ部６１に対して軸線Ｏ回りに相対回転させることが可能となる。
【００４７】
ダイヤル部７１の周壁の径方向内側には、ガイド筒部７４が設けられている。ガイド筒部７４は、ダイヤル部７１の頂壁部の下面から垂設されており、その内周面には径方向に延びる係止片７３が連設されている。ガイド筒部７４の外周面には、係止片７３の延長線上に係止片延長部７３ａが径方向外側に突設されている。一方、ガイド筒部７４の外周面と径方向で対向する装着筒部４６の内周面には、係止片延長部７３ａと周方向において衝突可能なクリック片４６ｂが形成されている。クリック片４６ｂは、装着筒部４６の内周面から径方向内側に突出する微小突起である。
【００４８】
クリック片４６ｂは、装着筒部４６の内周面の周方向に間隔をあけて複数形成されている。クリック片４６ｂは、係止片延長部７３ａと衝突することより、ダイヤル部７１の一定の操作量（一定の回転角度）ごとに、操作者にクリック感を与える。このクリック片４６ｂは、係止片延長部７３ａを周方向で挟み込むように２つ一組で配置し、周方向に間隔をあけて複数組設けるとよい。これにより、軸線Ｏを中心にダイヤル部７１を時計回り、反時計回りのいずれに回転させても、係止片延長部７３ａがクリック片４６ｂに衝突するため、クリック感が得られる。
【００４９】
また、クリック片４６ｂ（一組のクリック片４６ｂ）の装着筒部４６の内周面の周方向における間隔は、内容物の注出量に応じて適宜変更するとよい。例えば、内容物の注出量が４０ｍｌ（ミリリットル）から１０ｍｌの範囲で変更可能である場合、クリック片４６ｂ（一組のクリック片４６ｂ）を９０°間隔に設け、ダイヤル部７１を９０°回転（１／４回転）するごとに注出量を１０ｍｌずつ変化させるとよい。なお、規定注出量（例えば４０ｍｌ、３０ｍｌ、２０ｍｌ、１０ｍｌ）ごとにダイヤル部７１をロックする場合には、上述したロック片４７も、クリック片４６ｂの位相にあわせて、クリック片４６ｂと同様に２つ一組で、四組配置するとよい。
【００５０】
次に、上述した定量注出器１を用いた内容物の注出方法について説明する。
図１に示すように、圧縮コイルバネ４３による上方付勢力に対抗して押下ヘッド４０を押し下げると、押下ヘッド４０の下方移動に連係してピストン５０がシリンダ１０に対して下方に移動する。そして、押下ヘッド４０の押し下げを解除すると、押下ヘッド４０は、圧縮コイルバネ４３による上方付勢力によって上方に移動し、押下ヘッド４０の上方移動に連係してピストン５０がシリンダ１０に対して上方に移動する。この押下ヘッド４０のストローク量に応じて、シリンダ本体部１１内の貯留空間Ｃに負圧が発生する。
【００５１】
これにより、吸い上げ筒２０の吸い上げ弁２６は、吸い上げ連通口１１ａを開放してシリンダ１０内と吸い上げ筒２０内とを連通させる。すると、容器２内の内容物が吸い上げ筒２０および吸い上げ弁２６を通り貯留空間Ｃ内に吸い上げられる。このときの、貯留空間Ｃへの内容物の流入量は、貯留空間Ｃ内に発生した負圧、すなわちストローク量に対応している。なお、この際、注出筒３０の内部に配置されている注出弁３３は、注出筒３０の内部を閉鎖してシリンダ１０内との連通を遮蔽している。
【００５２】
この状態で、押下ヘッド４０を再び押し下げると、シリンダ本体部１１内が正圧になり、注出弁３３が、注出筒３０の内部を開放してシリンダ１０内と注出筒３０内とを連通させる。これにより、シリンダ本体部１１の貯留空間Ｃに貯留された内容物は、注出筒３０から注出される。なお、注出時において、吸い上げ弁２６は、吸い上げ筒２０の内部を閉鎖してシリンダ１０と吸い上げ筒２０とを遮蔽している。そのため、シリンダ本体部１１内の内容物は、吸い上げ筒２０に戻されない。
以上のようにして、定量注出器１から内容物を注出することができる。
【００５３】
次に、上述した定量注出器１の内容物の注出量の切り替え方法について説明する。
まず、図３に示すように、ダイヤル部７１を引上げ、ダイヤル部７１をロック解除位置に移動させる。ダイヤル部７１がロック解除位置に移動すると、係止片７３がロック片４７よりも上方に位置し、ダイヤル部７１の軸線Ｏ回りの回転操作が可能となる。以下では、ダイヤル部７１の軸線Ｏ回りの一方向の回転操作により、図２に示すように、ピストン５０の上死点の位置をＴ１からＴ２に下げる場合について説明する。なお、ピストン５０の上死点の位置をＴ２からＴ１に上げる場合は、ダイヤル部７１を上述の一方向と反対に回転操作することとなる。
【００５４】
ダイヤル部７１を軸線Ｏ回りの一方向に回転操作すると、ピストン支持部６０の第２ネジ部６２が、ダイヤル部７１に連設された係合筒部７２と共に、軸線Ｏ回りに連れ回る。そうすると、第２ネジ部６２が、押下ヘッド４０に対し固定された第１ネジ部６１に対して軸線Ｏ回りに相対回転し、第１ネジ部６１に形成されたネジ溝６１ａ２によって下方にねじ送りされる。第２ネジ部６２は、その下端部にピストン５０を支持しており、ピストン５０が第２ネジ部６２と共に下方に移動することで、ピストン５０の上死点の位置がＴ１からＴ２に変更される。
【００５５】
ダイヤル部７１の回転操作が終了したら、ダイヤル部７１を押し下げ、ダイヤル部７１をロック位置に移動させる。これにより、ダイヤル部７１の回転操作が規制される。この状態で、上述と同様に、シリンダ１０に対して押下ヘッド４０を押し下げると、ピストン５０の上死点の位置がＴ１からＴ２に変更されているため、ピストン５０のストローク量が短くなる。そのため、このときの内容物の注出量は、上述した図１に示す場合と比べて少なくなる。
以上のようにして、定量注出器１の内容物の注出量を変更することができる。
【００５６】
このように、本実施形態の定量注出器１によれば、押下ヘッド４０の外側に配設された操作部７０の操作により、ピストン支持部６０を上下方向に伸縮させる。ピストン支持部６０は、押下ヘッド４０の内側においてピストン５０を支持しており、操作部７０の操作量に応じて上下方向の長さが変わるため、シリンダ１０内におけるピストン５０の上死点の位置を任意に変更できる。これにより、シリンダ１０内におけるピストン５０の下方移動量（ストローク量）を細かく変更でき、当該ストローク量に応じた量の内容物を注出できる。また、ピストン５０の上死点の位置を変更しているため、ピストン５０の下死点の位置は変わらず、押下ヘッド４０の押し切り位置での安定性が確保される。さらに、ピストン５０のストローク量の変更に関して、操作部７０の構造的な部品の追加などは不要であるため、操作部７０の大きさをコンパクトにできる。
【００５７】
したがって、上述した本実施形態によれば、注出される内容物を一時的に収容するシリンダ１０と、シリンダ１０に連設されるとともに内容物が収容される容器２の口部２ａに配設されて、シリンダ１０の内圧の増減に応じて該シリンダ１０との連通および遮断が切り替えられる吸い上げ筒２０と、シリンダ１０に直結されて側方に向けて延び、シリンダ１０の内圧の増減に応じて該シリンダ１０との連通および遮蔽が切り替えられる注出筒３０と、シリンダ１０に上方付勢状態で下方移動可能に配設された有頂筒状の押下ヘッド４０と、シリンダ１０内に配設され、押下ヘッド４０に連係して該シリンダ１０内を上下移動するピストン５０と、押下ヘッド４０の外側に操作可能に配設された操作部７０と、押下ヘッド４０の内側においてピストン５０を支持するとともに、操作部７０の操作量に応じて上下方向に伸縮し、ピストン５０の上死点の位置を変更するピストン支持部６０と、を備える、という構成を採用することによって、コンパクトで押し切り位置での安定性があり、細かな注出量の切り替えが可能な定量注出器１が得られる。
【００５８】
また、本実施形態では、ピストン支持部６０は、図１及び図２に示すように、上下方向に延びる軸線Ｏ回りの相対回転により上下方向に伸縮可能に螺合した第１ネジ部６１及び第２ネジ部６２を有している。この構成によれば、第１ネジ部６１及び第２ネジ部６２の軸線Ｏ回りの相対回転により、ピストン支持部６０の上下方向の長さが無段階で変更できる。このため、定量注出器１において、より細かな注出量の切り替えが可能になる。なお、注出量を無段階で変更する場合には、クリック片４６ｂなどはなくてもよい。
【００５９】
また、本実施形態では、操作部７０は、押下ヘッド４０の外側に回転可能に配設され、第１ネジ部６１及び第２ネジ部６２を軸線Ｏ回りに相対回転させるダイヤル部７１を有している。この構成によれば、押下ヘッド４０の外側に配設されたダイヤル部７１の回転操作により、第１ネジ部６１及び第２ネジ部６２を軸線Ｏ回りに相対回転させることができるため、注出量の切り替え操作が容易、且つ、ピストン５０の下方移動量（ストローク量）の変更が直感的に分かりやすくなる。
【００６０】
また、本実施形態では、押下ヘッド４０は、ダイヤル部７１の回転を規制するロック片４７を有し、ダイヤル部７１は、ロック片４７に係止するロック位置と、ロック片４７に係止しないロック解除位置との間で移動可能に設けられている。この構成によれば、ダイヤル部７１をロック解除位置に移動させることにより、注出量の切り替えが可能になり、また、ダイヤル部７１をロック位置に移動させることにより、注出量を切り替えた状態での維持が可能となり、注出量が予期せずに変更されることを防止することができる。
【００６１】
（第２実施形態）
次に、本発明の第２実施形態について説明する。以下の説明において、上述の実施形態と同一又は同等の構成については同一の符号を付し、その説明を簡略若しくは省略する。
【００６２】
図４に示すように、第２実施形態の定量注出器１Ａは、ピストン支持部６０Ａが第１ネジ部６１Ａ及び第２ネジ部６２Ａを備え、第１ネジ部６１Ａが操作部７０Ａと一体で形成されている点で、上記実施形態と異なる。また、第２実施形態では、押下ヘッド４０におけるピストン支持部６０Ａの支持構造が、上記実施形態と異なる。
なお、細かい点では、押下ヘッド４０の押下外筒４１の下端部に抜け止めカバー４９が螺着されると共に、ダイヤル部７１の回転を規制するロック片４７が、押下ヘッド４０の天壁部４２の上面に形成されたロック溝４７Ａに変更されている点で、上記実施形態と異なる。
【００６３】
第２実施形態の押下ヘッド４０は、天壁部４２のバネ受け部４４よりも径方向内側に、ピストン支持部６０Ａの第２ネジ部６２Ａを上下方向に案内する案内筒部４８を備えている。案内筒部４８は、天壁部４２の下面から下方に垂設された筒体であり、案内筒部４８の内周面には案内溝４８ａが形成されている。案内溝４８ａは、上下方向に沿って延びると共に、周方向に間隔をあけて複数形成されている。
【００６４】
第１ネジ部６１Ａは、ダイヤル部７１の径方向中央部の下面から下方に垂設された筒状部であり、軸線Ｏを中心軸にして案内筒部４８の径方向内側に配設されている。第１ネジ部６１Ａの外周面には、螺旋状にネジ山６１Ａ１が形成されている。
【００６５】
第２ネジ部６２Ａは、第１ネジ部６１Ａの径方向外側、且つ、案内筒部４８の径方向内側に配設された筒状部であり、軸線Ｏを中心軸にして上下方向に沿って延設されている。第２ネジ部６２Ａは、下端部にピストン５０を支持しており、第２ネジ部６２Ａの内周面には、第１ネジ部６１Ａのネジ山６１Ａ１に螺合するネジ山６２Ａ１が形成されている。
【００６６】
第２ネジ部６２Ａの外周面には、案内筒部４８の案内溝４８ａに挿入される案内リブ６２Ａ２が上下方向に沿って延びると共に、周方向に間隔をあけて複数形成されている。これにより、第２ネジ部６２Ａは、案内筒部４８に対し、上下方向の相対移動を可能としつつ周方向への相対回転が規制されるようになっている。
【００６７】
次に、上述した定量注出器１Ａの内容物の注出量の切り替え方法について説明する。以下では、ダイヤル部７１の軸線Ｏ回りの一方向の回転操作により、図５に示すように、ピストン５０の上死点の位置をＴ１からＴ２に下げる場合について説明する。なお、ピストン５０の上死点の位置をＴ２からＴ１に上げる場合は、ダイヤル部７１を上述の一方向と反対に回転操作することとなる。
【００６８】
ダイヤル部７１を軸線Ｏ回りの一方向に回転操作すると、ダイヤル部７１と一体で形成された第１ネジ部６１Ａが、軸線Ｏ回りに回転する。そうすると、案内筒部４８によって回転を規制された第２ネジ部６２が、軸線Ｏ回りに相対回転する第１ネジ部６１に形成されたネジ山６１Ａ１によって下方にねじ送りされる。第２ネジ部６２Ａは、その下端部にピストン５０を支持しており、ピストン５０が第２ネジ部６２と共に下方に移動することで、ピストン５０の上死点の位置がＴ１からＴ２に変更される。
以上のようにして、定量注出器１Ａの内容物の注出量を変更することができる。
【００６９】
以上、本発明の実施形態について図面を参照して詳述したが、具体的な構成はこの実施形態に限られるものではなく、本発明の要旨を逸脱しない範囲の設計変更等も含まれる。
【００７０】
例えば、上述した実施形態では、操作部がダイヤル部を備える構成について説明したが、ダイヤル部の代わりにレバー部を備える構成であっても構わない。
【００７１】
また、例えば、上述した実施形態では、第１ネジ部及び第２ネジ部の軸線回りの相対回転により、ピストン支持部の上下方向の長さを変更する構成について説明したが、ピストン支持部がこのようなネジ機構の代わりに、ラックピニオン機構などの他の送り機構を備える構成であっても構わない。
【００７２】
その他、本発明の趣旨を逸脱しない範囲で、上述した実施形態における構成要素を周知の構成要素に置き換えることは適宜可能であり、また、前記変形例を適宜組み合わせてもよい。
【符号の説明】
【００７３】
１  定量注出器
１Ａ  定量注出器
２  容器
２ａ  口部
１０  シリンダ
２０  吸い上げ筒
３０  注出筒
４０  押下ヘッド
４７  ロック片（ロック部）
４７Ａ  ロック溝（ロック部）
５０  ピストン
６０  ピストン支持部
６０Ａ  ピストン支持部
６１  第１ネジ部
６１Ａ  第１ネジ部
６１Ａ１  ネジ山
６２  第２ネジ部
６２Ａ  第２ネジ部
７０  操作部
７０Ａ  操作部
７１  ダイヤル部
Ｃ  貯留空間
Ｏ  軸線
【図１】
2020055538.tif 000003
【図２】
2020055538.tif 000004
【図３】
2020055538.tif 000005
【図４】
2020055538.tif 000006
【図５】
2020055538.tif 000007